【手続補正書】
【提出日】平成19年5月11日(2007.5.11)
【手続補正１】
【補正対象書類名】特許請求の範囲
【補正対象項目名】全文
【補正方法】変更
【補正の内容】
【特許請求の範囲】
【請求項１】
複数色のインク各々に対応した複数のノズル列が所定方向に配置された記録ヘッドを、前記所定方向に記録媒体上で往復走査させて記録を行うインクジェット記録装置において使用される記録データを生成する画像処理装置であって、
前記記録データの生成に用いる変換テーブルとして、少なくとも２種類の変換テーブルを格納する記憶手段と、
１回の走査で記録する領域の画像データに、前記変換テーブルを切り換える必要がある画素が所定数以上含まれるか否かを判定する判定手段と、
前記判定手段が肯定の判定を行った場合、走査方向に応じて前記２種類の変換テーブルを切り換える切り換え手段と、
を備えることを特徴とする画像処理装置。
【請求項２】
前記判定手段は、１回の走査で記録する領域の画像データに、往方向走査で記録される場合と復方向走査で記録される場合とで所定以上の色差が生じる画素が所定数以上含まれるか否かを判定することを特徴とする請求項１に記載の画像処理装置。
【請求項３】
前記判定手段は、１回の走査で記録する領域の画像データに、黒以外の画素が所定数以上含まれるか否かを判定することを特徴とする請求項１に記載の画像処理装置。
【請求項４】
前記判定手段は、１回の走査で記録する領域の画像データに、インクの使用量が所定以上の画素が所定数以上含まれるか否かを判定することを特徴とする請求項１に記載の画像処理装置。
【請求項５】
前記変換テーブルは、ＲＧＢデータを使用するインクに対応したデータに変換する処理を行う変換テーブルを含むことを特徴とする請求項１から４のいずれか１項に記載の画像処理装置。
【請求項６】
前記記憶手段には、前記少なくとも２種類の変換テーブルとして、第１および第２の変換テーブルが格納され、
（Ａ）前記判定手段が否定の判定を行った場合、前記走査方向が往方向の場合も復方向の場合も、前記第１の変換テーブルを用いて画像処理を行い、（Ｂ）前記判定手段が肯定の判定を行った場合、前記走査方向が往方向の場合、前記第１の変換テーブルを用いて画像処理を行い、前記走査方向が復方向の場合、前記第２の変換テーブルを用いて画像処理を行う画像処理手段をさらに備え、
前記画像処理手段は、前記切り換え手段により前記第１の変換テーブルと前記第２の変換テーブルを切り換えることより前記（Ｂ）の処理を実行することを特徴とする請求項１乃至５のいずれか１項に記載の画像処理装置。
【請求項７】
複数色のインク各々に対応した複数のノズル列が所定方向に配置された記録ヘッドを、前記所定方向に記録媒体上で往復走査させて記録を行うインクジェット記録装置において使用される記録データを生成する画像処理装置であって、
前記記録ヘッドの１回の走査で記録する領域が色ムラの生じやすい領域か否かを判定する判定手段と、
前記色ムラの生じやすい領域であると判定された場合、往方向走査で記録するための前記記録データの生成の際には第１の画像処理を実行し、復方向走査で記録するための前記記録データの生成の際には第２の画像処理を実行する画像処理手段とを備え、
所定のＲＧＢデータを、前記第１の画像処理を介して変換した記録データを記録した場合の色と、前記第２の画像処理を介して変換した記録データを記録した場合の色とは異なることを特徴とする画像処理装置。
【請求項８】
前記色ムラの生じやすい領域とは、（Ａ）往方向走査で記録された場合と復方向走査で記録された場合に所定以上の色差が生じる画素を所定数以上含む領域、（Ｂ）黒以外の画素を所定数以上含む領域、あるいは（Ｃ）インクの使用量が所定以上の画素を所定数以上含む領域、のいずれか１つであることを特徴とする請求項７に記載の画像処理装置。
【請求項９】
前記第１および第２の画像処理は、入力されたＲＧＢデータを記録装置で使用するインクに対応した色分解データに変換する処理、前記色分解データを量子化して多値のデータを生成する処理、および前記多値のデータにドット配置パターンを割り当てて２値のデータを生成する処理の少なくとも１つであることを特徴とする請求項７または８に記載の画像処理装置。
【請求項１０】
複数色のインク各々に対応したノズル列が所定方向に配置された記録ヘッドを、前記所定方向に記録媒体上で往復走査させて記録を行うインクジェット記録装置で使用される記録データを生成する画像処理方法であって、
前記記録データの生成に用いる変換テーブルとして、往方向走査での記録のための第１の変換テーブル及び復方向走査での記録のための第２の変換テーブルを記憶手段に格納する記憶工程と、
１回の走査で記録する領域の画像データに、前記変換テーブルを切り換える必要がある画素が所定数以上含まれるか否かを判定する判定工程と、
前記判定工程で肯定の判定を行った場合、走査方向に応じて前記変換テーブルを切り換える切り換え工程と、
を備えることを特徴とする画像処理方法。
【請求項１１】
複数色のインク各々に対応したノズル列が所定方向に配置された記録ヘッドを、前記所定方向に記録媒体上で往復走査させて記録を行うインクジェット記録装置に接続されるコンピュータ装置にインストールされ、該記録装置で使用される記録データを生成するためのプログラムであって、
前記記録データの生成に用いる変換テーブルとして、往方向走査での記録のための第１の変換テーブル及び復方向走査での記録のための第２の変換テーブルを記憶手段に格納する記憶工程と、
１回の走査で記録する領域の画像データに、前記変換テーブルを切り換える必要がある画素が所定数以上含まれるか否かを判定する判定工程と、
前記判定工程での判定に応じて前記変換テーブルを切り換える切り換え工程と、
をコンピュータ装置に実行させるためのプログラム。
【手続補正２】
【補正対象書類名】明細書
【補正対象項目名】発明の名称
【補正方法】変更
【補正の内容】
【発明の名称】画像処理装置、画像処理方法、及びプログラム
【手続補正３】
【補正対象書類名】明細書
【補正対象項目名】０００９
【補正方法】変更
【補正の内容】
【０００９】
上記目的を達成する本発明の一態様としての画像処理装置は、複数色のインク各々に対応した複数のノズル列が所定方向に配置された記録ヘッドを、前記所定方向に記録媒体上で往復走査させて記録を行うインクジェット記録装置において使用される記録データを生成する画像処理装置であって、
前記記録データの生成に用いる変換テーブルとして、少なくとも２種類の変換テーブルを格納する記憶手段と、
１回の走査で記録する領域の画像データに、前記変換テーブルを切り換える必要がある画素が所定数以上含まれるか否かを判定する判定手段と、
前記判定手段が肯定の判定を行った場合、走査方向に応じて前記２種類の変換テーブルを切り換える切り換え手段と、を備えている。
【手続補正４】
【補正対象書類名】明細書
【補正対象項目名】００１４
【補正方法】変更
【補正の内容】
【００１４】
上記目的を達成する本発明の一態様としての画像処理装置は、複数色のインク各々に対応した複数のノズル列が所定方向に配置された記録ヘッドを、前記所定方向に記録媒体上で往復走査させて記録を行うインクジェット記録装置において使用される記録データを生成する画像処理装置であって、
前記記録ヘッドの１回の走査で記録する領域が色ムラの生じやすい領域か否かを判定する判定手段と、
前記色ムラの生じやすい領域であると判定された場合、往方向走査で記録するための前記記録データの生成の際には第１の画像処理を実行し、復方向走査で記録するための前記記録データの生成の際には第２の画像処理を実行する画像処理手段とを備え、
所定のＲＧＢデータを、前記第１の画像処理を介して変換した記録データを記録した場合の色と、前記第２の画像処理を介して変換した記録データを記録した場合の色とは異なることを特徴とする。